(57)【特許請求の範囲】
【請求項１】
受信波の到来方向を測定する方位測定手段と、ある周波数において到来方向が同一の周波数を抽出する方位判定手段と、前記到来方向が同一の周波数の受信時刻から呼と応答の関係を持つ周波数を通信系周波数と判定して妨害に必要な情報を抽出する通信系判定手段と、前記妨害に必要な情報に基づいて前記通信系周波数に対し妨害電波を発射する妨害電波発射手段とを備えたことを特徴とする無線通信系妨害方式。
【請求項２】
妨害電波発射手段の代わりに、通信系判定手段から得られる妨害に必要な情報に基づいて前記通信系周波数の電波が到来する方向のうちから選定された特定の方向に対してのみ妨害電波を発射する妨害電波選定発射手段を備えたことを特徴とする請求項１記載の無線通信系妨害方式。
【請求項３】
受信電波から出現時刻の短い複数の周波数群を抽出する時間監視手段と、前記周波数群の到来方向を測定する方位測定手段と、前記周波数群から到来方向が同一の周波数群を抽出するＦＨ波方位判定手段と、前記到来方向が同一の周波数群の受信時刻から呼と応答の関係を持つ周波数群を通信系周波数群と判定して妨害に必要な情報を抽出する通信系判定手段と、前記妨害に必要な情報に基づいて前記通信系周波数群に対し妨害電波を発射する妨害電波発射手段とを備えたことを特徴とする無線通信系妨害方式。
【請求項４】
妨害電波発射手段の代わりに、通信系判定手段から得られる妨害に必要な情報に基づいて通信系周波数群の電波が到来する方向のうちから選定された特定の方向に対してのみ妨害電波を発射する妨害電波選定発射手段を備えたことを特徴とする請求項３記載の無線通信系妨害方式。
【請求項５】
受信電波の受信レベルを測定するレベル測定手段と、ある周波数において受信レベルが同一の周波数を抽出するレベル判定手段と、前記受信レベルが同一の周波数の受信時刻から呼と応答の関係を持つ周波数を通信系周波数と判定して妨害に必要な情報を抽出する通信系判定手段と、前記妨害に必要な情報に基づいて前記通信系周波数に対し妨害電波を発射する妨害電波発射手段とを備えたことを特徴とする無線通信系妨害方式。
【請求項６】
妨害電波発射手段の代わりに、通信系判定手段から得られる妨害に必要な情報に基づいて通信系周波数の受信レベルのうちから選択された特定のレベルの周波数に対してのみ妨害電波を発射する妨害電波選定発射手段を備えたことを特徴とする請求項５記載の無線通信系妨害方式。
【請求項７】
受信電波から出現時刻の短い複数の周波数群を抽出する時間監視手段と、前記周波数群の受信レベルを測定するレベル測定手段と、前記周波数群から受信レベルが同一の周波数群を抽出するＦＨ波レベル判定手段と、前記受信レベルが同一の周波数群の受信時刻から呼と応答の関係を持つ周波数群を通信系周波数群と判定して妨害に必要な情報を抽出する通信系判定手段と、前記妨害に必要な情報に基づいて前記通信系周波数群に対し妨害電波を発射する妨害電波発射手段とを備えたことを特徴とする無線通信系妨害方式。
【請求項８】
妨害電波発射手段の代わりに、通信系判定手段から得られる妨害に必要な情報に基づいて通信系周波群の受信レベルのうちから選択された特定のレベルの周波数群に対してのみ妨害電波を発射する妨害電波選定発射手段を備えたことを特徴とする請求項７記載の無線通信系妨害方式。
【発明の詳細な説明】
【０００１】
【発明の属する技術分野】
この発明は空界に多数存在する電波の中から敵性波の通信系を選別することにより敵通信に対して効率的に妨害を実施する無線通信系妨害方式に関するものである。
【０００２】
【従来の技術】
図１３は、従来の無線通信妨害方式の構成を示すブロック図である。図において、１は受信手段、１３は妨害目標入手手段、１４は妨害目標選定手段、５は妨害電波発射手段である。
【０００３】
次に動作について説明する。
妨害目標入手手段１３によって、他システムより入手した妨害目標、すなわち周波数を特定する。次に、妨害目標選定手段１４は、この周波数と受信手段１で受信する周波数とを照合し、合致したものを妨害目標として選定する。妨害目標選定手段１４で選定された妨害目標は、妨害電波発射手段５に設定され、妨害電波を送信して敵対する通信の妨害を行う。
【０００４】
図１４は、従来の他の無線通信妨害方式の構成を示すブロック図である。
図において、１は受信手段、１５は聴音情報解析手段、１４は妨害目標選定手段、５は妨害電波発射手段である。
【０００５】
次に動作について説明する。
受信手段１により受信した空界電波を聴音情報解析手段１５に与え、ここでその空界電波の聴音内容を解析する。この解析結果を基に妨害目標選定手段１４は敵対する通信に該当する信号を妨害目標として選定する。妨害目標選定手段１４で選定された妨害目標に対し、妨害電波発射手段５により設定した妨害電波を送信し、敵対する通信の妨害を行う。
【０００６】
【発明が解決しようとする課題】
従来の無線通信妨害方式は以上のように構成されているので、図１３の構成の場合には、他システムより妨害目標を入手しなければならず、それを基に妨害目標を選定することが必要となる。したがって、妨害目標が入手できない場合には、妨害目標を選定できず、その結果効率的に妨害できないという問題があった。また、図１４のように構成されている従来の無線通信妨害方式では、受信した空界電波の聴音内容を解析しなければならず、それを基に妨害目標を選定することが必要となる。したがって、聴音内容を解析できない場合には妨害目標を選定できず、その結果効率的に妨害できないという問題点があった。
【０００７】
この発明は上記のような課題を解決するためになされたもので、空界に存在する電波から、その受信情報の特徴を基に敵対する通信系を選別する方法を提案する無線通信系妨害方式を得ることを目的としたものである。
また、この発明は、選別された敵対する通信系に対して効果的に妨害を実施することのできる無線通信系妨害方式を得ることを目的とする。
【０００８】
【課題を解決しようとする手段】
この発明に係る無線通信系妨害方式は、受信波の到来方向を測定する方位測定手段と、ある周波数において到来方向が同一の周波数を抽出する方位判定手段と、前記到来方向が同一の周波数の受信時刻から呼と応答の関係を持つ周波数を通信系周波数と判定して妨害に必要な情報を抽出する通信系判定手段と、前記妨害に必要な情報に基づいて前記通信系周波数に対し妨害電波を発射する妨害電波発射手段とを備えたものである。
【０００９】
この発明に係る無線通信系妨害方式は、妨害電波発射手段の代わりに、通信系判定手段から得られる妨害に必要な情報に基づいて通信系周波数の電波が到来する方向のうちから選定された特定の方向に対してのみ妨害電波を発射する妨害電波選定発射手段を備えたものである。
【００１０】
この発明に係る無線通信系妨害方式は、受信電波から出現時刻の短い複数の周波数群を抽出する時間監視手段と、前記周波数群の到来方向を測定する方位測定手段と、前記周波数群から到来方向が同一の周波数群を抽出するＦＨ波方位判定手段と、前記到来方向が同一の周波数群の受信時刻から呼と応答の関係を持つ周波数群を通信系周波数群と判定して妨害に必要な情報を抽出する通信系判定手段と、前記妨害に必要な情報に基づいて前記通信系周波数群に対し妨害電波を発射する妨害電波発射手段とを備えたものである。
【００１１】
この発明に係る無線通信系妨害方式は、妨害電波発射手段の代わりに、通信系判定手段から得られる妨害に必要な情報に基づいて通信系周波数群の電波が到来する方向のうちから選定された特定の方向に対してのみ妨害電波を発射する妨害電波選定発射手段とを備えたものである。
【００１２】
この発明に係る無線通信系妨害方式は、受信電波の受信レベルを測定するレベル測定手段と、ある周波数において受信レベルが同一の周波数を抽出するレベル判定手段と、前記受信レベルが同一の周波数の受信時刻から呼と応答の関係を持つ周波数を通信系周波数と判定して妨害に必要な情報を抽出する通信系判定手段と、前記妨害に必要な情報に基づいて前記通信系周波数に対し妨害電波を発射する妨害電波発射手段とを備えたものである。
【００１３】
この発明に係る無線通信系妨害方式は、妨害電波発射手段の代わりに、通信系判定手段から得られる妨害に必要な情報に基づいて通信系周波数の受信レベルのうちから選択された特定のレベルの周波数に対してのみ妨害電波を発射する妨害電波選定発射手段を備えたものである。
【００１４】
この発明に係る無線通信系妨害方式は、受信電波から出現時刻の短い複数の周波数群を抽出する時間監視手段と、前記周波数群の受信レベルを測定するレベル測定手段と、前記周波数群から受信レベルが同一の周波数群を抽出するＦＨ波レベル判定手段と、前記受信レベルが同一の周波数群の受信時刻から呼と応答の関係を持つ周波数群を通信系周波数群と判定して妨害に必要な情報を抽出する通信系判定手段と、前記妨害に必要な情報に基づいて前記通信系周波数群に対し妨害電波を発射する妨害電波発射手段とを備えたものである。
【００１５】
この発明に係る無線通信系妨害方式は、妨害電波発射手段の代わりに、通信系判定手段から得られる妨害に必要な情報に基づいて通信系周波群の受信レベルのうちから選択された特定のレベルの周波数群に対してのみ妨害電波を発射する妨害電波選定発射手段を備えたものである。
【００１６】
【発明の実施の形態】
以下、この発明の実施の一形態を説明する。
実施の形態１．
図１において、本発明の実施の形態１に係る無線通信系妨害方式の構成を示す。
図において、１は空界を飛び交う複数の電波を受信する受信手段、２は受信した電波の到来方向を測定する方位測定手段、３は各周波数において到来方向が同一の周波数毎に分類し抽出する方位判定手段、４は分類し抽出された各方位の受信時刻から呼と応答の関係を持つ周波数を通信系周波数と判定し、妨害に必要な情報を抽出する通信系判定手段、５は抽出された情報を基に妨害電波を発射する妨害電波発射手段である。
【００１７】
次に動作について説明する。
受信手段１にて空界に飛び交う電波すなわち通信系波、放送波等を受信する。受信電波は、方位測定手段２にて到来方向が測定され、方位判定手段３にてそれぞれの周波数を到来方向毎に分類し通信系判定手段４に送る。通信系判定手段４は、抽出された周波数の受信時刻を分析し、各到来方向の受信時刻に対し呼と応答のやりとりの関係があるかを判定する。すなわち、ある到来方向の受信時刻の次に別方向の受信時刻があり、さらにその後に元の到来方向の受信時刻が来るという時系列の関係がある場合、その周波数を使用した通信を通信系と判定する。通信系と判定された電波の到来方向と受信時刻の関係を図２に示す。その通信系のうち敵対するものがあれば、判定結果に基づいて敵対する通信系の周波数に対し、妨害電波発射手段５から妨害電波を発射させる。
【００１８】
以上のように、実施の形態１によれば、ある周波数において到来方向が同一のものを抽出し、抽出された到来方向が同一の周波数の受信時刻から呼と応答の関係を持つ周波数を通信系と判定し、空界に飛び交う電波の中から敵対する通信系を妨害するものである。敵の重要な通信においては、直接または符号による会話が発生する。すなわち、呼と応答の関係を持つ電波が存在するわけで、実施の形態１は、この特徴と電波の方位を基に通信系を判定して妨害目標を決め、敵対する通信系に対して効果的に妨害を実施できる効果を有する。
【００１９】
実施の形態２．
図３は実施の形態２に係る無線通信系妨害方式の構成を示す。
図において、１は空界を飛び交う複数の電波を受信する受信手段、２は受信した電波の到来方向を測定する方位測定手段、３は各周波数において到来方向が同一の周波数毎に分類し抽出する方位判定手段、４は分類し抽出された各方位の受信時刻から呼と応答の関係を持つ周波数を通信系周波数と判定し妨害に必要な情報を抽出する通信系判定手段、８は抽出された情報を基に通信系周波数の電波が到来する方向のうちから特定の方向を選定し、その方向に対してのみ妨害電波を発射する妨害電波選定発射手段である。
実施の形態２は、実施の形態１に対し、妨害電波発射手段５の代わりに妨害電波選定発射手段８を使用した点が異なる構成である。
【００２０】
次に動作について説明する。
受信手段１にて空界に飛び交う電波、すなわち通信系波、放送波等を受信する。方位測定手段２は受信電波の到来方向を測定し、方位判定手段３に送る。方位判定手段３は、それぞれの周波数を到来方向毎に分類して抽出し、その結果を通信系判定手段４に送る。通信系判定手段４は、抽出された周波数の受信時刻を分析し、各到来方向の受信時刻の関係に呼と応答の関係があるかを判定する。すなわち、ある到来方向の受信時刻の次に別方向の受信時刻があり、さらに元の到来方向の受信時刻が来るという時系列の関係がある場合、その周波数を使用した通信を通信系と判定する。判定結果は妨害電波選定発射手段８に送られる。妨害電波選定発射手段８は、この対象となる周波数の電波の到来方向のうちから一方の通信所の方向を選定し、この方向にのみ集中させて妨害電波を発射する。
実施の形態１では、妨害電波発射手段５は、判定された通信系の全ての送信所に対して妨害電波を発射するようになっているが、この実施の形態２では、妨害電波として判定された通信系のうち何れかの送信所に妨害電波を発射する妨害電波選定発射手段８を設け、通信系の一部を妨害するようにしたものである。
【００２１】
以上のように、実施の形態２によれば、ある周波数において到来方向が同一の周波数を抽出し、抽出された到来方向が同一の周波数の受信時刻から呼と応答の関係を持つ周波数を通信系と判定し、空界に飛び交う電波の中から敵対する通信系を妨害するようにし、さらに妨害電波選定発射手段８を設けて、妨害電波として判定された通信系のうちから何れか特定する送信所に対して妨害電波を発射するようにしたものである。その結果、一方だけの通信所を妨害することにより通信系の全てが不通にはならない。そのため、敵側では妨害を受けていると思わず、周波数変更等の対応をせずに現周波数にて引き続き通信系の復帰を試みようとする。そのことより、敵対する通信系に対し混乱を与えることができ、より効果的な妨害を実施できる効果を有する。
【００２２】
実施の形態３．
図４において、実施の形態３に係る無線通信系妨害方式の構成を示す。
図において、１は空界を飛び交う複数の電波を受信する受信手段、６は出現時刻の短い複数の周波数群を抽出する時間監視手段、２は出現時刻の短い複数の周波数群の電波の到来方向を測定する方位測定手段、７は電波の到来方向が同一のもの毎に分類するＦＨ波方位判定手段、４は分類し抽出された各方位の受信時刻に関して呼と応答の関係を持つ周波数群を通信系周波数群と判定し、妨害に必要な情報を抽出する通信系判定手段、５は抽出された情報を基に妨害電波を発射する妨害電波発射手段である。
実施の形態１では、方位判定手段３による判定は、選択した１つの周波数を対象としているが、この実施の形態３では、方位判定手段として出現時刻の短い複数の周波数群の到来方向から同一の通信所と判定して電波を抽出するＦＨ波方位判定手段７を設けている点で異なる。ここで、無線通信には、特定の周波数で変調されて送信される一般の電波であるＣＷ波（連続波；Ｃｏｎｔｉｎｕｏｕｓ  Ｗａｖｅ）のほかに、特殊通信用に周波数ホッピング変調されたＦＨ波（Ｆｒｅｑｕｅｎｃｙ  Ｈｏｐｐｉｎｇ  Ｗａｖｅ：明細書全般でＦＨ波と呼ぶ）が使用されている。ＦＨ波は、広い周波数範囲で送信周波数を変化（ホップ）させながら送信される電波である。実施の形態３は、このようなＦＨ波を選別対象としたものである。
【００２３】
次に動作について説明する。
受信手段１により空界に飛び交う電波、すなわち通信系波、放送波等を受信する。受信信号は時間監視手段６に送られ、出現時刻の短い複数の周波数群を抽出し、方位測定手段２に送る。方位測定手段２は、受信された周波数の方位を測定し、その結果を用いＦＨ波方位判定手段７により到来方向毎に分類し、通信系判定手段４に送る。通信系判定手段４は、分類された方位の受信時刻を分析し、各到来方向の受信時刻に呼と応答の関係があるかを判定する。すなわち、ある到来方向の一連の受信時刻の次に別方向の一連の受信時刻があり、さらに元の到来方向の一連の受信時刻が来るという時系列の関係がある場合、その周波数群を使用した通信を通信系と判定する。判定結果は妨害電波発射手段５に送られる。通信系と判定された電波が敵対すべき対象である場合、妨害電波発射手段５は、この周波数群に対して妨害電波を発射する。
図５はＦＨ方式を用いた通信系と判定された電波の到来方向と受信時刻の関係を示す。出現時刻の短い複数の周波数Ｆ１〜Ｆ５を用い一方向からの送信が行われ、それに呼応して他方向から同様な出現時刻の短い複数の周波数Ｆ６〜Ｆ１０を使用して送信が行われている。
【００２４】
以上のように、実施の形態３によれば、出現時刻の短い複数の周波数群を持つＦＨ方式の通信において、到来方向が同一の周波数群を抽出し、抽出された到来方向が同一の周波数群の受信時刻から呼と応答の関係を持つ周波数群をＦＨ波による通信系周波数群と判定することにより、空界に飛び交う電波の中から敵対する通信系を妨害するようにしたので、ＦＨ波を用いた敵通信系に対しても効果的に妨害を実施する効果を有する。
【００２５】
実施の形態４．
図６は実施の形態４に係る無線通信系妨害方式の構成を示す。
図において、１は空界を飛び交う複数の電波を受信する受信手段、６は出現時刻の短い複数の周波数群を抽出する時間監視手段、２は出現時刻の短い複数の周波数群の電波の到来方向を測定する方位測定手段、７は到来方向が同一の周波数群毎に分類し抽出するＦＨ波方位判定手段、４は抽出された各方位の受信時刻に関して呼と応答の関係を持つ周波数群を通信系周波数群と判定し妨害に必要な情報を抽出する通信系判定手段、８は抽出された情報を基にある特定した方向に限定して妨害電波を発射する妨害電波選定発射手段である。
実施の形態４は、実施の形態３に対し、妨害電波発射手段５の代わりに妨害電波選定発射手段８を設けた点が異なる構成である。
【００２６】
次に動作について説明する。
受信手段１により空界に飛び交う電波、すなわち通信系波、放送波等を受信する。受信信号は時間監視手段６に送られ、出現時刻の短い複数の周波数群を抽出し、方位測定手段２に送る。方位測定手段２は、抽出された周波数群の方位を測定し、その結果を用いＦＨ波方位判定手段７により到来方向毎に分類し、通信系判定手段４に送る。通信系判定手段４は、分類された方位の周波数群の受信時刻を分析し、各到来方向の受信時刻に呼と応答の関係があるかを判定する。すなわち、ある到来方向の一連の受信時刻の次に別方向の一連の受信時刻があり、さらに元の到来方向の一連の受信時刻が来るという時系列の関係がある場合、その周波数群を使用した通信を通信系と判定する。判定結果は妨害電波選定発射手段８に送られ、対象となる周波数群の電波の到来方向のうちから一方の通信所の方向を選定し、この方向にのみ集中させて妨害電波を発射する。
【００２７】
以上のように、実施の形態４によれば、出現時刻の短い複数の周波数群（ＦＨ方式の通信）から到来方向が同一の周波数群を抽出し、抽出された到来方向が同一の周波数群の受信時刻から呼と応答の関係を持つ周波数群を通信系と判定して空界に飛び交う電波の中から敵対する通信系を妨害するものであり、さらに妨害電波選定発射手段８により妨害電波として判定された通信系のうちから何れか特定する送信所に対して妨害電波を発射するようにしたものである。その結果、一方だけの通信所を妨害することにより通信系の全てが不通とはならない。そのため、敵側では妨害を受けていると思わず、周波数変更等の対応をせずに現周波数にて引き続き通信系の復帰を試みようとする。そのことより、敵対するＦＨ波を用いた通信系に対し混乱を与えることができ、より効果的な妨害を実施できる効果を有する。
【００２８】
実施の形態５．
図７は実施の形態５に係る無線通信系妨害方式の構成を示す。
図において、１は空界を飛び交う複数の電波を受信する受信手段、９は受信電波の受信レベルを測定するレベル測定手段、１０は各周波数を受信レベルが同一の周波数毎に分類し抽出するレベル判定手段、４は分類し抽出された各受信レベルの周波数の受信時刻から呼と応答の関係を持つ周波数を通信系周波数と判定し、妨害に必要な情報を抽出する通信系判定手段、５は抽出された情報を基に妨害電波を発射する妨害電波発射手段である。
実施の形態１では、受信電波の方位を基に通信系を判定したが、この実施の形態５は、レベル測定手段９とレベル判定手段１０を用いることによって、受信レベルを基に通信系を判定するようにしたものである。
【００２９】
次に動作について説明する。
受信手段１にて空界に飛び交う電波すなわち通信系波、放送波等を受信する。受信信号は、受信レベルをレベル測定手段９により測定され、レベル判定手段１０によりそれぞれの周波数において受信レベル毎に分類し抽出され、通信系判定手段４に送られる。通信系判定手段４は、抽出された周波数の受信時刻を分析し各受信レベルの受信時刻の関係に呼と応答の関係があるかを判定する。すなわち、ある受信レベルの受信時刻の次に別の受信レベルの受信時刻があり、さらに元の受信レベルの受信時刻がくるという時系列の関係がある場合、その周波数を使用した通信を通信系と判定する。判定結果が敵対する通信系である場合、妨害電波発射手段５に送られる。妨害電波発射手段５は、この周波数に対して妨害電波を発射する。通信系における受信レベルと受信時刻の関係を図８に示す。
【００３０】
以上のように、実施の形態５によれば、ある周波数において受信レベルが同一の受信信号を抽出し、抽出された受信レベルが同一の周波数の受信時刻から呼と応答の関係を持つ周波数を通信系と判定し、空界に飛び交う電波の中から敵対する通信系を妨害するようにしたものである。すなわち呼と応答の関係と受信レベルを基に通信系を判定し妨害目標を決め、その目標の通信系に対し妨害波を発射するので敵対する通信系に対して効果的に妨害を実施する効果を有する。
【００３１】
実施の形態６．
図９は実施の形態６に係る無線通信系妨害方式の構成を示す。
図において、１は空界を飛び交う複数の電波を受信する受信手段、９は受信電波の受信レベルを測定するレベル測定手段、１０は各周波数において受信レベルが同一の周波数毎に分類し抽出するレベル判定手段、４は抽出された各受信レベルの周波数の受信時刻から呼と応答の関係を持つ周波数を通信系周波数と判定し、妨害に必要な情報を抽出する通信系判定手段、１２は抽出された情報を基に特定される受信レベルの周波数に限定して妨害電波を発射する妨害電波選定発射手段である。
この実施の形態６は、実施の形態５に対し、妨害電波発射手段５の代わりに妨害電波選定発射手段１２を設けた点が異なる。
【００３２】
次に動作について説明する。
受信手段１にて空界に飛び交う電波、すなわち通信系波、放送波等を受信する。レベル測定手段９は受信信号の受信レベルを測定し、レベル判定手段１０はそれぞれの周波数において受信レベル毎に分類し抽出して通信系判定手段４に送る。通信系判定手段４は、抽出された周波数の受信時刻を分析し、各受信レベルの周波数の受信時刻の関係に呼と応答の関係があるかを判定する。すなわち、ある受信レベルの受信時刻の次に別の受信レベルの受信時刻があり、さらに元の受信レベルの受信時刻がくるという時系列の関係がある場合、その周波数を使用した通信を通信系と判定する。判定結果が敵対する通信系である場合、妨害電波選定発射手段１２に送られる。妨害電波選定発射手段１２は、ある受信レベルの周波数に対し、すなわち特定する通信所に限定して妨害電波を発射する。
【００３３】
以上のように、実施の形態６によれば、ある周波数において受信レベルが同一の周波数を抽出し、抽出された受信レベルが同一の周波数の受信時刻から呼と応答の関係を持つ周波数を通信系と判定し、空界に飛び交う電波の中から敵対する通信系の特定する通信所を対象として妨害電波を発射するようにしたものである。呼と応答の関係と受信レベルを基に通信系を判定し妨害目標を決め、敵対する通信系の一方の通信所を妨害することにより通信系に混乱を与え、敵対する通信系に対してより効果的に妨害を実施する効果を有する。
【００３４】
実施の形態７．
図１０は実施の形態７に係る無線通信系妨害方式の構成を示す。
図において、１は空界を飛び交う複数の電波を受信する受信手段、６は出現時刻の短い複数の周波数群（ＦＨ波）を抽出する時間監視手段、９は出現時刻の短い複数の周波数群の電波の受信レベルを測定するレベル測定手段、１１は受信レベルが同一の周波数群毎に分類し抽出するＦＨ波レベル判定手段、４は分類し抽出された各受信レベルの周波数群の受信時刻に関して呼と応答の関係を持つ周波数群を通信系と判定し、妨害に必要な情報を抽出する通信系判定手段、５は抽出された情報を基に妨害電波を発射する妨害電波発射手段である。
この実施の形態７は、実施の形態５に対し、時間監視手段６を設け、またレベル判定手段１０の代わりにＦＨ波レベル判定手段１１を設けた点が異なる。
【００３５】
次に動作について説明する。
受信手段１にて空界に飛び交う電波すなわち通信系波、放送波等を受信する。時間監視手段６は、受信信号の中から出現時刻の短い複数の周波数群を抽出し、レベル測定手段９に送る。レベル測定手段９は、受信された周波数群の受信レベルを測定しＦＨ波レベル判定手段１１に送る。ＦＨ波レベル判定手段１１は周波数群を受信レベル毎に分類し抽出して通信系判定手段４に送る。通信系判定手段４は、分類された受信レベルの周波数群の受信時刻を分析し、各受信レベルにおける受信時刻の関係に呼と応答の関係があるかを判定する。すなわち、ある受信レベルの一連の受信時刻の次に別の受信レベルの一連の受信時刻があり、さらに元の受信レベルの一連の受信時刻が来るという時系列の関係がある場合、その周波数群を使用した通信を通信系と判定する。判定した通信系が敵対する通信系である場合、判定結果を妨害電波発射手段５に送り、この周波数群に対して妨害電波を発射する。ＦＨ方式を用いた通信系における受信レベルと受信時刻の関係を図１１に示す。
【００３６】
以上のように、実施の形態７によれば、出現時刻の短い複数の周波数群（ＦＨ方式の通信）において受信レベルが同一の周波数群を抽出し、抽出された受信レベルが同一の周波数群の受信時刻から呼と応答の関係を持つ周波数群を通信系と判定して空界に飛び交う電波の中から通信系を妨害するようにしたものである。呼と応答の関係と出現時刻の短い複数の周波数群の受信レベルを基にＦＨ波の通信系を判定し妨害目標を決め、その目標の通信系に対し妨害波を発射するので、ＦＨ方式を用いた敵対する通信系に対しても効果的に妨害を実施する効果を有する。
【００３７】
実施の形態８．
図１２は実施の形態８に係る無線通信系妨害方式の構成を示す。
図において、１は空界を飛び交う複数の電波を受信する受信手段、６は出現時刻の短い複数の周波数群（ＦＨ波）を抽出する時間監視手段、９は出現時刻の短い複数の周波数群の電波の受信レベルを測定するレベル測定手段、１１は受信レベルが同一の周波数群毎に分類し抽出するＦＨ波レベル判定手段、４は抽出された各受信レベルの周波数群の受信時刻に関して呼と応答の関係を持つ周波数群を通信系と判定し、妨害に必要な情報を抽出する通信系判定手段、１２は抽出された情報を基にある受信レベルの周波数群に限定して妨害電波を発射する妨害電波選定発射手段である。
実施の形態８は、実施の形態７に対して、妨害電波発射手段５の代わりに妨害電波選定発射手段１２を設けた点が異なる。
【００３８】
次に動作について説明する。
受信手段１にて空界に飛び交う電波すなわち通信系波、放送波等を受信する。時間監視手段６は、受信信号の中から出現時刻の短い複数の周波数群（ＦＨ波）を抽出し、レベル測定手段９に送る。レベル測定手段９は各周波数群の受信レベルを測定し、さらにＦＨ波レベル判定手段１１は各周波数群を受信レベル毎に分類し抽出して通信系判定手段４に送る。通信系判定手段４は、抽出された受信レベルの周波数群の受信時刻を分析し、各受信レベルの受信時刻に呼と応答の関係があるかを判定する。すなわち、ある受信レベルの一連の受信時刻の次に別の受信レベルの一連の受信時刻があり、さらに元の受信レベルの一連の受信時刻が来るという時系列の関係がある場合、その周波数群を使用した通信を通信系と判定する。判定結果が敵対する通信系である場合、妨害電波選定発射手段１２に送られ、妨害電波選定発射手段１２はこの周波数群に対してある受信レベル、すなわち敵対する通信系の特定する通信所に対してのみ妨害電波を発射する。
【００３９】
以上のように、実施の形態８によれば、出現時刻の短い複数の周波数群（ＦＨ方式の通信）において受信レベルが同一の周波数群を抽出し、抽出された周波数群の受信時刻から呼と応答の関係を持つ周波数群を通信系と判定し、空界に飛び交う電波の中から敵対する通信系を妨害するものである。したがって、呼と応答の関係と周波数群の受信レベルを基に通信系を判定し、さらに通信系の一方の通信所を妨害することにより、敵対する通信系に混乱を起こさせることができ、ＦＨ方式を用いた敵対する通信系に対してより効果的に妨害を実施する効果を有する。
【００４０】
【発明の効果】
以上のように、この発明によれば、受信波の到来方向を測定する方位測定手段と、ある周波数において到来方向が同一の周波数を抽出する方位判定手段と、到来方向が同一の周波数の受信時刻から呼と応答の関係を持つ周波数を通信系周波数と判定して妨害に必要な情報を抽出する通信系判定手段と、妨害に必要な情報に基づいて通信系周波数に対し妨害電波を発射する妨害電波発射手段とを備えるように構成したので、呼と応答の関係と電波の方位を基に通信系を判定して妨害目標を決め、敵の重要である通信系に対して効果的に妨害を実施できる効果がある。
【００４１】
この発明によれば、妨害電波発射手段の代わりに、通信系判定手段から得られる妨害に必要な情報に基づいて通信系周波数の電波が到来する方向のうちから選定された特定の方向に対してのみ妨害電波を発射する妨害電波選定発射手段を備えるように構成したので、呼と応答の関係と電波の方位を基に通信系を判定して妨害目標を決め、通信系の一部を妨害することにより通信系に混乱を与え、敵対する通信系に対しより効果的な妨害を実施できる効果がある。
【００４２】
この発明によれば、受信電波から出現時刻の短い複数の周波数群（ＦＨ方式の通信）を抽出する時間監視手段と、周波数群の到来方向を測定する方位測定手段と、周波数群から到来方向が同一の周波数群を抽出するＦＨ波方位判定手段と、到来方向が同一の周波数群の受信時刻から呼と応答の関係を持つ周波数群を通信系周波数群と判定して妨害に必要な情報を抽出する通信系判定手段と、妨害に必要な情報に基づいて通信系周波数群に対し妨害電波を発射する妨害電波発射手段とを備えるように構成したので、呼と応答の関係と出現時刻の短い複数の周波数群の受信電波の方位を基に通信系を判定して妨害目標を決め、敵対する通信系がＦＨ波を用いた場合にも、重要である通信系に対して効果的に妨害を実施できる効果がある。
【００４３】
この発明によれば、妨害電波発射手段の代わりに、通信系判定手段から得られる妨害に必要な情報に基づいて通信系周波数群の電波が到来する方向のうちから選定された特定の方向に対してのみ妨害電波を発射する妨害電波選定発射手段を備えるように構成したので、呼と応答の関係と出現時刻の短い複数の周波数群の受信電波の方位を基にＦＨ波を用いた通信系を判定して妨害目標を決め、通信系の一部を妨害することにより通信系に混乱を与え、敵対するＦＨ方式の通信系に対してより効果的に妨害を実施することができる効果がある。
【００４４】
この発明によれば、受信電波の受信レベルを測定するレベル測定手段と、ある周波数において受信レベルが同一の周波数を抽出するレベル判定手段と、受信レベルが同一の周波数の受信時刻から呼と応答の関係を持つ周波数を通信系周波数と判定して妨害に必要な情報を抽出する通信系判定手段と、妨害に必要な情報に基づいて通信系周波数に対し妨害電波を発射する妨害電波発射手段とを備えるように構成したので、呼と応答の関係と受信レベルを基に通信系を判定して妨害目標を決め、敵の重要である通信系に対して妨害を実施できる効果がある。
【００４５】
この発明によれば、妨害電波発射手段の代わりに、通信系判定手段から得られる妨害に必要な情報に基づいて通信系周波数の受信レベルのうちから選択された特定のレベルの周波数に対してのみ妨害電波を発射する妨害電波選定発射手段を備えるように構成したので、呼と応答の関係と受信レベルを基に通信系を判定しして妨害目標を決め、敵対する通信系の一部を妨害することにより通信系に混乱を与え、敵対する通信系に対してより効果的に妨害を実施する効果がある。
【００４６】
この発明によれば、受信電波から出現時刻の短い複数の周波数群（ＦＨ方式の通信）を抽出する時間監視手段と、周波数群の受信レベルを測定するレベル測定手段と、周波数群から受信レベルが同一の周波数群を抽出するＦＨ波レベル判定手段と、受信レベルが同一の周波数群の受信時刻から呼と応答の関係を持つ周波数群を通信系周波数群と判定して妨害に必要な情報を抽出する通信系判定手段と、妨害に必要な情報に基づいて通信系周波数群に対し妨害電波を発射する妨害電波発射手段とを備えるように構成したので、呼と応答の関係と出現時刻の短い複数の周波数群の受信レベルを基にＦＨ波の通信系を判定して妨害目標を決め、ＦＨ方式を用いた敵対する通信系に対して妨害を実施できる効果がある。
【００４７】
この発明によれば、妨害電波発射手段の代わりに、通信系判定手段から得られる妨害に必要な情報に基づいて通信系周波群の受信レベルのうちから選択された特定のレベルの周波数群に対してのみ妨害電波を発射する妨害電波選定発射手段を備えるように構成したので、呼と応答の関係と出現時刻の短い周波数群の受信レベルを基にＦＨ波の通信系を判定して妨害目標を決め、ＦＨ方式を用いた敵対する通信系の一部を妨害することによりその通信系に混乱を与え、敵対する通信系に対して効果的に妨害を実施できる効果がある。
【図面の簡単な説明】
【図１】  この発明の実施の形態１による無線通信系妨害方式の構成を示すブロック図である。
【図２】  通信系における電波の到来方向と受信時刻の関係を示す特性図である。
【図３】  この発明の実施の形態２に係る無線通信系妨害方式のブロック図である。
【図４】  この発明の実施の形態３に係る無線通信系妨害方式のブロック図である。
【図５】  ＦＨを用いた通信系における電波の到来方向と受信時刻の関係を示す特性図である。
【図６】  この発明の実施の形態４に係る無線通信系妨害方式のブロック図である。
【図７】  この発明の実施の形態５に係る無線通信系妨害方式のブロック図である。
【図８】  通信系における受信レベルと受信時刻の関係を示す特性図である。
【図９】  この発明の実施の形態６に係る無線通信系妨害方式のブロック図である。
【図１０】  この発明の実施の形態７に係る無線通信系妨害方式のブロック図である。
【図１１】  ＦＨ波を用いた通信系における受信レベルと受信時刻の関係を示す特性図である。
【図１２】  この発明の実施の形態８に係る無線通信系妨害方式のブロック図である。
【図１３】  従来の無線通信妨害方式の構成を示すブロック図である。
【図１４】  従来の無線通信妨害方式の他の構成を示すブロック図である。
【符号の説明】
１  受信手段、２  方位測定手段、３  方位判定手段、４  通信系判定手段、５  妨害電波発射手段、６  時間監視手段、７  ＦＨ波方位判定手段、８，１２妨害電波選定発射手段、９  レベル測定手段、１０  レベル判定手段、１１  ＦＨ波レベル判定手段。
【図１】
0003640882.tif 000002
【図２】
0003640882.tif 000003
【図３】
0003640882.tif 000004
【図４】
0003640882.tif 000005
【図５】
0003640882.tif 000006
【図６】
0003640882.tif 000007
【図７】
0003640882.tif 000008
【図８】
0003640882.tif 000009
【図９】
0003640882.tif 000010
【図１０】
0003640882.tif 000011
【図１１】
0003640882.tif 000012
【図１２】
0003640882.tif 000013
【図１３】
0003640882.tif 000014
【図１４】
0003640882.tif 000015